【手続補正書】
【提出日】平成17年10月14日(2005.10.14)
【手続補正１】
【補正対象書類名】特許請求の範囲
【補正対象項目名】全文
【補正方法】変更
【補正の内容】
【特許請求の範囲】
【請求項１】
予め定められた日時に放送される放送番組を録画情報格納手段に録画情報として格納し録画する放送番組録画システムであって、
ユーザの嗜好情報を格納する嗜好情報格納手段と、
該嗜好情報格納手段が格納している前記嗜好情報に基づき、複数の放送番組の中から当該ユーザが好むと思われる放送番組を検索する番組検索手段と、
該番組検索手段が検索した放送番組のリストを、放映装置に放映しユーザに報知する番組リスト報知手段と、
該番組リスト報知手段が報知した前記リストに基づき、録画する放送番組を選択するためのユーザからの指示を受付ける指示受付手段と、を備え、
前記番組検索手段は、該番組検索手段による検索結果に対するユーザの反応に基づく学習を行なって番組検索の改良を行なう学習改良機能を有することを特徴とする、放送番組録画システム。
【請求項２】
放送番組を録画情報として格納する録画情報格納手段に前記放送番組を録画する放送番組録画装置であって、
ユーザの嗜好情報を格納する嗜好情報格納手段と、
該嗜好情報格納手段が格納している前記嗜好情報に基づき、複数の放送番組の中から当該ユーザが好むと思われる放送番組を検索する番組検索手段と、
該番組検索手段が検索した放送番組を自動的に前記録画情報格納手段に格納し記録するための自動記録処理を行なう記録手段と、を備え、
前記番組検索手段は、該番組検索手段による検索結果に対するユーザの反応に基づく学習を行なって番組検索の改良を行なう学習改良機能を有することを特徴とする、放送番組録画装置。
【請求項３】
放送番組を録画情報として格納する録画情報格納手段に前記放送番組を録画する放送番組録画装置であって、
ユーザの嗜好情報を格納する嗜好情報格納手段と、
該嗜好情報格納手段が格納している前記嗜好情報に基づき、複数の放送番組の中から当該ユーザが好むと思われる放送番組を検索する番組検索手段と
該番組検索手段が検索した放送番組を自動的に前記録画情報格納手段に格納し記録するための自動記録処理を行なう記録手段と、を備え、
前記番組検索手段は、ユーザへ事前に送信される放送番組内容に関する要約情報と前記嗜好情報とに基づき放送番組を検索することを特徴とする、放送番組録画装置。
【請求項４】
前記番組検索手段が検索した放送番組のリストを、放映装置に放映しユーザに報知する番組リスト報知手段と、
該番組リスト報知手段が報知した前記リストに基づき、前記記録手段に放送番組を記録させるか否かのユーザからの指示を受付ける指示受付手段と、をさらに備え、
前記記録手段は、前記指示受付手段が、前記指示を受付けている場合には該指示に従った番組録画を行ない、前記指示を受付けていない場合には前記自動記録処理を行なうことを特徴とする、請求項２または請求項３に記載の放送番組録画装置。
【手続補正２】
【補正対象書類名】明細書
【補正対象項目名】発明の名称
【補正方法】変更
【補正の内容】
【発明の名称】放送番組録画システムおよび放送番組録画装置
【手続補正３】
【補正対象書類名】明細書
【補正対象項目名】０００１
【補正方法】変更
【補正の内容】
【０００１】
本発明は、予め定められた日時に放送される放送番組を録画情報格納手段に録画情報として格納し録画する放送番組録画システム、および、放送番組を録画情報として格納する録画情報格納手段に前記放送番組を録画する放送番組録画装置に関する。
【手続補正４】
【補正対象書類名】明細書
【補正対象項目名】０００２
【補正方法】削除
【補正の内容】
【手続補正５】
【補正対象書類名】明細書
【補正対象項目名】０００３
【補正方法】変更
【補正の内容】
【０００３】
この種のシステムおよび装置において、従来から知られているものでは、たとえば、ユーザが放送番組を閲覧する際に利用するものとして、録画予約カードに１週間ないし数週間のテレビ放送の番組の内容・時間等の情報を記憶し、該情報に基づく番組表をテレビ受像機に表示する。そして、表示された番組表を見ながらユーザが「カーソル」キー操作を行ない所望の番組を反転表示させた状態で、ユーザが「設定」キー操作するとその番組の日付を含む開始時刻等が記憶され録画予約を行なう。また、「設定」キー操作により録画予約を行なった後に、ユーザが「毎週」キー操作すると、翌週以降の番組の内容をサーチし録画予約番組と同一のものが存在すればその番組の日付を含む開始時刻等が記憶され録画予約を行なう番組サーチ装置（特許文献１参照）がある。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】変更
【補正の内容】
【００１１】
このシステムおよび装置の発明の目的は、上記した従来のものを改良することである。
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】変更
【補正の内容】
【００１４】
請求項１に記載の本発明は、予め定められた日時に放送される放送番組を録画情報格納手段に録画情報として格納し録画する放送番組録画システム（放送局２から放送される番組を受信したユーザは、…ＶＴＲ（ビデオテープレコーダ）１５により録画し、後日その録画情報を再生して閲覧する場合がある。ＴＶ１６は、このＶＴＲ１５やパソコン１４と連係して…イントロ再生機能…を有する。その機能実現のために、高速なランダム・アクセスが可能なハード・ディスク装置や半導体メモリなどが内蔵されている。…ユーザ側では、受信した番組データをＶＴＲ１５に記録させ、受信したインデックス情報をハード・ディスク装置などに蓄積する。…ＶＴＲ１５から読出した映像データを一時的にハード・ディスクに蓄え：ＶＴＲ１５等に記録する・・・番組を録画記録させる：放送番組等の放
送コンテンツを自動的に記録する）であって、
ユーザの嗜好情報（図１４に示すようなユーザの嗜好情報等を含むプロフィール情報９６：たとえば、ユーザの職業，趣味，住所，音楽の好み，映画の好み，…ユーザの公開鍵ＰＫＵ等…ユーザの年収，電話番号，異性の好み，学歴，貯蓄額，財産，…ユーザの秘密鍵ＳＫＵ等）を格納する嗜好情報格納手段（図１４：たとえばＥＥＰＲＯＭ９４、図１４）と、
該嗜好情報格納手段が格納している前記嗜好情報に基づき、複数の放送番組の中から当該ユーザが好むと思われる放送番組を検索する番組検索手段（図４：ＳＡ１１〜ＳＡ１３：評価は、このユーザエージェントの持主であるユーザが好むサイトであるか否かあるいはユーザが好むコンテンツであるか否かを判断することである。…プロフィール情報を活用して評価を行なう。：ＳＡ１１に進み、…ユーザのプロフィール情報９６に基づいてユーザがどの程度好むかを判断して行なう。そして、ＳＡ１２により、その評価が所定値以上であるか否かの判断がなされ、…所定値以上の場合にはＳＡ１３に進み、推薦番組リストに登録する処理がなされる。）と、
該番組検索手段が検索した放送番組のリストを、放映装置に放映しユーザに報知する番組リスト報知手段（図４：ＳＡ２２：ＳＡ１３に進み、推薦番組リストに登録する処理がなされる。この推薦番組リストに登録された番組がユーザに推薦番組として表示され、後述するようにユーザの指示を仰ぐ。：ＳＡ２２に進み、推薦番組リストをＣＲＴ５２またはＴＶ１６により表示する制御がなされる。）と、
該番組リスト報知手段が報知した前記リストに基づき、録画する放送番組を選択するためのユーザからの指示（ユーザがこの推薦番組の放送を受信して閲覧またはＶＴＲ１５に録画する旨の指示）を受付ける指示受付手段（図４：ＳＡ２９：ユーザがキーボード５３やマウス等を操作してエージェントへの何らかの指示を行なえば…：ＳＡ２７に進み、推薦番組の記録指示であるか否かの判断がなされる。ＳＡ２２により表示された推薦番組を閲覧したユーザがその推薦番組の中から記録して閲覧したいものがあった場合にはその記録希望の推薦番組の記録指示を出す。その結果ＳＡ２７によりＹＥＳの判断がなされてＳＡ２９に進み、その指示された推薦番組コンテンツの記録指示をパソコン１４に出す処理がなされる。）と、を備え、
前記番組検索手段は、該番組検索手段による検索結果に対するユーザの反応に基づく学習を行なって番組検索の改良を行なう学習改良機能を有する（ユーザエージェント２６は、ユーザのために仕事を行ないその結果をユーザに提供するのであり、その提供された結果に対するユーザの反応（満足するかまたは不満に思うか等）を観察し、必要があればユーザエージェント２６自身がユーザのプロフィール情報９６を更新したり補充したりする。：ユーザエージェント２６が、仕事の結果を提供したユーザの反応（満足するかまたは不満に思うか等）を観察し、ユーザのプロフィール情報９６ばかりでなく、ユーザエージェント２６自身のプログラムを改良するといういわゆる機械学習を応用したもの）ことを特徴とする。
【手続補正１４】
【補正対象書類名】明細書
【補正対象項目名】００１５
【補正方法】変更
【補正の内容】
【００１５】
請求項２に記載の本発明は、放送番組を録画情報として格納する録画情報格納手段に前記放送番組を録画する放送番組録画装置（放送局２から放送される番組を受信したユーザは、…ＶＴＲ（ビデオテープレコーダ）１５により録画し、後日その録画情報を再生して閲覧する場合がある。ＴＶ１６は、このＶＴＲ１５やパソコン１４と連係して…イントロ再生機能…を有する。その機能実現のために、高速なランダム・アクセスが可能なハード・ディスク装置や半導体メモリなどが内蔵されている。…ユーザ側では、受信した番組データをＶＴＲ１５に記録させ、受信したインデックス情報をハード・ディスク装置などに蓄積する。…ＶＴＲ１５から読出した映像データを一時的にハード・ディスクに蓄え：ＶＴＲ１５等に記録する…番組を録画記録させる：放送番組等の放送コンテンツを自動的に記録する）であって、
ユーザの嗜好情報（図１４に示すようなユーザの嗜好情報等を含むプロフィール情報９６：たとえば、ユーザの職業，趣味，住所，音楽の好み，映画の好み，…ユーザの公開鍵
ＰＫＵ等…ユーザの年収，電話番号，異性の好み，学歴，貯蓄額，財産，…ユーザの秘密鍵ＳＫＵ等）を格納する嗜好情報格納手段（図１４：たとえばＥＥＰＲＯＭ９４、図１４）と、
該嗜好情報格納手段が格納している前記嗜好情報に基づき、複数の放送番組の中から当該ユーザが好むと思われる放送番組を検索する番組検索手段（図４：ＳＡ１１〜ＳＡ１３：評価は、このユーザエージェントの持主であるユーザが好むサイトであるか否かあるいはユーザが好むコンテンツであるか否かを判断することである。…プロフィール情報を活用して評価を行なう。：ＳＡ１１に進み、…ユーザのプロフィール情報９６に基づいてユーザがどの程度好むかを判断して行なう。そして、ＳＡ１２により、その評価が所定値以上であるか否かの判断がなされ、…所定値以上の場合にはＳＡ１３に進み、推薦番組リストに登録する処理がなされる。）と、
該番組検索手段が検索した放送番組を自動的に前記録画情報格納手段に格納し記録するための自動記録処理を行なう記録手段（図３：Ｓ２，Ｓ７，Ｓ１１〜Ｓ１６，Ｓ２３、図４：ＳＡ１８，ＳＡ２９、：放送番組等の放送コンテンツを自動的に記録する：Ｓ１２により、放送コンテンツを受信してＶＴＲ１５に記録する処理がなされる。…放送局２が放送してＶＴＲ１５等に記録させた番組：放送コンテンツの記録指示があった場合にはＳ２３に進み、その指示のあった記録対象コンテンツの放送日時，チャンネルを記憶する処理がなされる。）と、を備え、
前記番組検索手段は、該番組検索手段による検索結果に対するユーザの反応に基づく学習を行なって番組検索の改良を行なう学習改良機能を有する（ユーザエージェント２６は、ユーザのために仕事を行ないその結果をユーザに提供するのであり、その提供された結果に対するユーザの反応（満足するかまたは不満に思うか等）を観察し、必要があればユーザエージェント２６自身がユーザのプロフィール情報９６を更新したり補充したりする。：ユーザエージェント２６が、仕事の結果を提供したユーザの反応（満足するかまたは不満に思うか等）を観察し、ユーザのプロフィール情報９６ばかりでなく、ユーザエージェント２６自身のプログラムを改良するといういわゆる機械学習を応用したもの）ことを特徴とする。
【手続補正１５】
【補正対象書類名】明細書
【補正対象項目名】００１６
【補正方法】変更
【補正の内容】
【００１６】
請求項３に記載の本発明は、放送番組を録画情報として格納する録画情報格納手段に前記放送番組を録画する放送番組録画装置（放送局２から放送される番組を受信したユーザは、…ＶＴＲ（ビデオテープレコーダ）１５により録画し、後日その録画情報を再生して閲覧する場合がある。ＴＶ１６は、このＶＴＲ１５やパソコン１４と連係して…イントロ再生機能…を有する。その機能実現のために、高速なランダム・アクセスが可能なハード・ディスク装置や半導体メモリなどが内蔵されている。…ユーザ側では、受信した番組データをＶＴＲ１５に記録させ、受信したインデックス情報をハード・ディスク装置などに蓄積する。…ＶＴＲ１５から読出した映像データを一時的にハード・ディスクに蓄え：ＶＴＲ１５等に記録する・・・番組を録画記録させる：放送番組等の放送コンテンツを自動的に記録する）であって、
ユーザの嗜好情報（図１４に示すようなユーザの嗜好情報等を含むプロフィール情報９６：たとえば、ユーザの職業，趣味，住所，音楽の好み，映画の好み，…ユーザの公開鍵ＰＫＵ等…ユーザの年収，電話番号，異性の好み，学歴，貯蓄額，財産，…ユーザの秘密鍵ＳＫＵ等）を格納する嗜好情報格納手段（図１４：たとえばＥＥＰＲＯＭ９４、図１４）と、
該嗜好情報格納手段が格納している前記嗜好情報に基づき、複数の放送番組の中から当該ユーザが好むと思われる放送番組を検索する番組検索手段（図４：ＳＡ１１〜ＳＡ１３：評価は、このユーザエージェントの持主であるユーザが好むサイトであるか否かあるいはユーザが好むコンテンツであるか否かを判断することである。…プロフィール情報を活用して評価を行なう。：ＳＡ１１に進み、…ユーザのプロフィール情報９６に基づいてユーザがどの程度好むかを判断して行なう。そして、ＳＡ１２により、その評価が所定値以上であるか否かの判断がなされ、…所定値以上の場合にはＳＡ１３に進み、推薦番組リス
トに登録する処理がなされる。）と、
該番組検索手段が検索した放送番組を自動的に前記録画情報格納手段に格納し記録するための自動記録処理を行なう記録手段（図３：Ｓ２，Ｓ７，Ｓ１１〜Ｓ１６，Ｓ２３、図４：ＳＡ１８，ＳＡ２９、：放送番組等の放送コンテンツを自動的に記録する：Ｓ１２により、放送コンテンツを受信してＶＴＲ１５に記録する処理がなされる。…放送局２が放送してＶＴＲ１５等に記録させた番組：放送コンテンツの記録指示があった場合にはＳ２３に進み、その指示のあった記録対象コンテンツの放送日時，チャンネルを記憶する処理がなされる。）と、を備え、
前記番組検索手段は、ユーザへ事前に送信される放送番組内容に関する要約情報（放送局２は、放送する番組の内容の要約（アブストラクト）を事前にユーザに向けて放送：番組のアブストラクト情報）と前記嗜好情報とに基づき放送番組を検索する（アブストラクト放送を受信してユーザエージェントに番組を録画記録させるかどうかを判断させる。：ＳＡ１１に進み、その番組アブストラクトに基づいて番組の評価を行なう。この評価は、前述したように、ユーザのプロフィール情報９６に基づいてユーザがどの程度好むかを判断して行なう。）ことを特徴とする。
【手続補正１６】
【補正対象書類名】明細書
【補正対象項目名】００１７
【補正方法】変更
【補正の内容】
【００１７】
請求項４に記載の本発明は、請求項２または請求項３に記載の発明の構成に加えて、前記番組検索手段が検索した放送番組のリストを、放映装置に放映しユーザに報知する番組リスト報知手段（図４：ＳＡ２２：ＳＡ１３に進み、推薦番組リストに登録する処理がなされる。この推薦番組リストに登録された番組がユーザに推薦番組として表示され、後述するようにユーザの指示を仰ぐ。：ＳＡ２２に進み、推薦番組リストをＣＲＴ５２またはＴＶ１６により表示する制御がなされる。）と、
該番組リスト報知手段が報知した前記リストに基づき、前記記録手段に放送番組を記録させるか否かのユーザからの指示（ユーザがこの推薦番組の放送を受信して閲覧またはＶＴＲ１５に録画する旨の指示）を受付ける指示受付手段（図４：ＳＡ２９：ユーザがキーボード５３やマウス等を操作してエージェントへの何らかの指示を行なえば…：ＳＡ２７に進み、推薦番組の記録指示であるか否かの判断がなされる。ＳＡ２２により表示された推薦番組を閲覧したユーザがその推薦番組の中から記録して閲覧したいものがあった場合にはその記録希望の推薦番組の記録指示を出す。その結果ＳＡ２７によりＹＥＳの判断がなされてＳＡ２９に進み、その指示された推薦番組コンテンツの記録指示をパソコン１４に出す処理がなされる。）と、をさらに備え、
前記記録手段は、前記指示受付手段が、前記指示を受付けている場合には該指示に従った番組（記録希望の推薦番組）録画を行ない（図３：Ｓ１２，Ｓ２３）、前記指示を受付けていない場合には前記自動記録処理を行なう（図３：Ｓ１２，Ｓ２３、図４：ＳＡ１５〜ＳＡ１８：ＳＡ１５により、その推薦番組をユーザエージェントの自己判断で自動的に記録するか否かの判別を行なう。…自動記録すると判断された場合にはＳＡ１７に進み、その推薦番組リストに登録されている推薦番組を自動記録番組リストの方に移し替えて登録する処理がなされる。：次にＳＡ１８に進み、パソコン１４に対しコンテンツの記録指示を出す。その結果、前述したように、Ｓ７により、ＹＥＳの判断がなされてＳ２３により指示のあった記録対象コンテンツの放送日時，チャンネルが記録される。）ことを特徴とする。
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】